(57)【要約】【課題】係止リングから紐が外れるのをなくして、草履の作製作業の能率を向上することができる草履手編み台を提供する。【解決手段】手編み台本体１１の内部にバインダーの本体ケースを収納するとともに、バインダーの開閉可能な係止リングＲを構成する複数対の第１及び第２リング片１９，２０を、基板１２の上面に接着された上部化粧板２３の貫通孔２３ａ，２３ｂから上方向に導出する。前記第１及び第２リング片１９，２０を鎖線で示すように開放した状態で草履を手編みするための紐３６を複数の第２リング片２０に係止する。その後、第１及び第２リング片１９，２０を実線で示すように閉鎖し、前記紐３６の一端部を、紐通し具３７に係止し、該紐通し具３７により縦方向に並列された紐３６に横方向に紐３６を編み込んで草履を作製する。【選択図】図１
2010270415.tif 000002
【特許請求の範囲】
【請求項１】
手編み台本体に草履を手編みするための紐を係止する複数の係止リングを開閉可能に設けたことを特徴とする草履手編み台。
【請求項２】
請求項１において、前記係止リングはリングバインダーに設けられた開閉可能な複数の係止リングであることを特徴とする草履手編み台。
【請求項３】
請求項１又は２において、前記手編み台本体を、作業テーブルの上面に支持した状態でクランプするためのクランプ金具を備えていることを特徴とする草履手編み台。
【請求項４】
請求項３において、前記手編み台本体の左右両側部には、前記クランプ金具のフレームの上部水平板部を係合するための係合凹部が設けられていることを特徴とする草履手編み台。
【請求項５】
請求項１〜４のいずれか一項において、前記手編み台本体は、中央部に帯状の貫通孔を形成した長四角板状の基板と、該基板の下面に接合された下部化粧板と、上面に接合された上部化粧板とにより構成され、前記基板の貫通孔と下部化粧板とにより形成された収容凹所には、リングバインダーの本体ケースが収容され、該バインダーの開閉可能な複数の係止リングを構成する第１及び第２リング片は、前記上部化粧板に形成された複数の貫通孔から上方向に導出されていることを特徴とする草履手編み台。
【請求項６】
請求項１〜５のいずれか一項において、前記草履を手編みするための紐の一端部を貫通係止し、草履の手編み作業に用いる紐通し具を備えていることを特徴とする草履手編み台。
【発明の詳細な説明】
【技術分野】
【０００１】
本発明は、紐を用いて例えば装飾用の草履を手編みする際に用いられる草履手編み台に関するものである。
【背景技術】
【０００２】
従来の草履手編み台として、特許文献１に開示されたものが提案されている。この手編み台は、基台の上面に前部ブロックを装着するとともに、この前部ブロックの上面に複数本の紐掛け突起が互いに平行に、かつ上方向に指向するように立設されている。又、基台の上面に後部ブロックを装着するとともに、該後部ブロックに複数本の紐掛け突起が互いに平行に、かつ上方向に指向するように立設されている。前記基台の中央部には複数本の紐を互いに平行状に位置規制するための規制溝を有する中間規制板が前後方向の位置調節可能に装着されている。そして、前部ブロック及び後部ブロックに形成された紐掛け突起に対し、草履製作用の紐を、前後方向に指向するように、かつ横方向に蛇行するように引き回して係止し、その縦方向に延びる複数本の紐に横方向に紐を蛇行するように繰り返し編み込んで、草履を手編みするようになっている。
【０００３】
又、従来の草履手編み台として、特許文献２に開示されたものも提案されている。この手編み台は、基台の上面にＴ字状態の複数本のフックが立設されている。前記各フックに紐を前後方向に指向するように、かつ横方向に蛇行するように引き回して係止し、その縦方向に延びる複数本の紐に横方向に紐を蛇行するように繰り返し編み込んで、草履を手編みするようになっている。
【先行技術文献】
【特許文献】
【０００４】
【特許文献１】実用新案登録第３１３８９３０号公報
【特許文献２】実用新案登録第３０８４１０５号公報
【発明の概要】
【発明が解決しようとする課題】
【０００５】
ところが、特許文献１に記載された草履手編み台は、前後一対のブロックに直線状の紐掛け突起が複数本立設されている構造のため、各突起に縦方向に指向するように係止された紐の係止部が、紐を横方向に繰り返し編み込む作業の際に縦方向に指向する紐が上方への外力を受けると、前記突起から外れ、草履の手編み作業の中断を強いられ、手編み作業の能率が低下するという問題があった。
【０００６】
又、特許文献２に開示された草履手編み台は、フックがＴ字状態に形成されているので、各フックに係止された紐がフックの上端部の水平方向に延びる係止部によって抜け難くなっている。しかし、例えば初心者の場合には、手編み作業中にフックに係止されていた紐が緩んだ状態で、上方への外力を作用させるようなこともあり、この場合には、紐がフックから外れるので、草履の手編み作業の能率を向上することができないという問題があった。
【０００７】
本発明は、上記従来の技術に存する問題点を解消して、草履の手編み作業の能率を向上することができる草履手編み台を提供することにある。
【課題を解決するための手段】
【０００８】
上記問題点を解決するために、請求項１に記載の発明は、手編み台本体に草履を手編みするための紐を係止する複数の係止リングを開閉可能に設けたことを要旨とする。
請求項２に記載の発明は、請求項１において、前記係止リングはリングバインダーに設けられた開閉可能な複数の係止リングであることを要旨とする。
【０００９】
請求項３に記載の発明は、請求項１又は２において、前記手編み台本体を、作業テーブルの上面に支持した状態でクランプするためのクランプ金具を備えていることを要旨とする。
【００１０】
請求項４に記載の発明は、請求項３において、前記手編み台本体の左右両側部には、前記クランプ金具のフレームの上部水平板部を係合するための係合凹部が設けられていることを要旨とする。
【００１１】
請求項５に記載の発明は、請求項１〜４のいずれか一項において、前記手編み台本体は、中央部に帯状の貫通孔を形成した長四角板状の基板と、該基板の下面に接合された下部化粧板と、上面に接合された上部化粧板とにより構成され、前記基板の貫通孔と下部化粧板とにより形成された収容凹所には、リングバインダーの本体ケースが収容され、該バインダーの開閉可能な複数の係止リングを構成する第１及び第２リング片は、前記上部化粧板に形成された複数の貫通孔から上方向に導出されていることを要旨とする。
【００１２】
請求項６に記載の発明は、請求項１〜５のいずれか一項において、前記草履を手編みするための紐の一端部を貫通係止し、草履の手編み作業に用いる紐通し具を備えていることを要旨とする。
【００１３】
（作用）
この発明は開閉可能な係止リングを開放した状態で、該係止リングに紐が係止され、その後、係止リングを閉鎖するようにしたので、紐を用いて草履を手編みする作業の際に、係止リングに係止された紐が係止リングから外れるの防止して、手編み作業の中断を回避し、草履の手編み作業能率を向上することができる。
【発明の効果】
【００１４】
本発明によれば、草履の手編み作業中に、係止リンクに係止された紐が係止リングから外れることがなく、草履の手編み作業能率を向上することができる。
【図面の簡単な説明】
【００１５】
【図１】この発明を具体化した草履手編み台の斜視図。
【図２】草履手編み台を構成する部品の分解斜視図。
【図３】草履手編み台のバインダーの係止シングが閉鎖された状態を示す横断面図。
【図４】草履手編み台のバインダーの係止リングが開放された状態を示す横断面図。
【図５】草履手編み台のバインダーの係止リングが閉鎖された状態を示す縦断面図。
【図６】紐通し具を示す斜視図。
【図７】草履手編み台の使用状態を示す斜視図。
【図８】この発明の別の実施形態を示す草履手編み台の斜視図。
【発明を実施するための形態】
【００１６】
以下、本発明を具体化した草履手編み台の一実施形態を図１〜図７にしたがって説明する。
図２に示す手編み台本体１１を構成する例えば天然皮革あるいは合成皮革よりなる長四角板状の基板１２の中央部には、図３に示すように、該基板１２の長手方向に平面細長四角形状の貫通孔１２ａが上下方向に貫通するように形成されている。前記基板１２の下面全域には、例えば天然皮革あるいは合成皮革よりなる下部化粧板１３が図２に示すように接着剤（図示略）により接着されている。前記基板１２の貫通孔１２ａと前記下部化粧板１３の上面とにより、図３に示すリングバインダー１４の本体ケースＫを収容する収容凹所Ｈ（図４参照）が形成されている。前記基板１２の表面には、前記リングバインダー１４に設けられた開閉可能な複数（この実施形態では六）対の第１リング片１９及び第２リング片２０のみを上方向に露出した状態で前記本体ケースＫを覆うための上部化粧板２３が接着剤（図示略）により接着されている。この実施形態では、前記基板１２、下部化粧板１３及び上部化粧板２３の三つの部材によって前記手編み台本体１１が構成されている。なお、前記上部化粧板２３には、外観を向上するために外周縁にミシン目状の模様が形成されている。
【００１７】
次に、図３〜図６に基づいて、前記バインダー１４について説明する。
図３及び図４に示すように、前記バインダー１４の本体ケースＫは、チャンネル状をなす下部ケース片１５と、該下部ケース片１５の上部に連結された上部ケース片１６とによって構成されている。前記下部ケース片１５は、帯板状をなす底板１５ａと、該底板１５ａの左右両側に図４に示すように上方向に一体に折り曲げ形成された側板１５ｂ，１５ｂと、両側板１５ｂ，１５ｂの上部に一体形成された横Ｖ字状の係止溝１５ｃ，１５ｃを有する係合部１５ｄ，１５ｄとによって構成されている。上部ケース片１６は、前記下部ケース片１５の上側開口部を被覆するように、横断面が中央部ほど盛り上がる円弧状に形成され、該上部ケース片１６の左右両側部には、前記係合部１５ｄ，１５ｄの外側面に係合された係合部１６ａ，１６ａが一体に湾曲形成されている。
【００１８】
前記本体ケースＫの内部には、図示しない係合爪によって上下方向の屈曲可能に連結された弾性帯板材よりなる左右一対の作動板１７，１８が収容されている。作動板１７，１８の外側端縁は、前記下部ケース片１５の係止溝１５ｃ，１５ｃにそれぞれ係止されている。一方の作動板１７の上面には、第１リング片１９の下端部が溶接によって連結され、該第１リング片１９は前記上部ケース片１６に形成された貫通孔１６ｂ及び上部化粧板２３に形成された貫通孔２３ａを貫通して上方向に導出されている。同様に、他方の作動板１８の上面には第２リング片２０の下端部が溶接によって連結され、該第２リング片２０は前記上部ケース片１６に形成された貫通孔１６ｃ及び上部化粧板２３に形成された貫通孔２３ｂを貫通して上方向に導出されている。前記第１リング片１９と第２リング片２０とによって、開閉可能な係止リングＲが構成されている。
【００１９】
前記下部ケース片１５の底板１５ａの上面には、図６に示すように、前記本体ケースＫの両端寄りに位置するように、左右一対の軸受片２１，２１（図４参照）が切り起こし形成されている。両軸受片２１，２１の軸孔２１ａ，２１ａには、前記第１及び第２リング片１９，２０を開閉操作するための操作部材２２が傾動可能に装着されている。この操作部材２２の中間部には前記軸受片２１の軸孔２１ａに挿入された軸部２２ａ，２２ａが一体に形成され、先端部は前記作動板１７，１８の下面に接触されている。前記操作部材２２の基端部には、前記係止リングＲを開放操作するための操作部２２ｂが形成され、この操作部２２ｂが前記上部化粧板２３の裏面に接触されている。
【００２０】
前記操作部２２ｂは、前記上部化粧板２３がこの実施形態のように不透明材料により形成されている場合には、図１及び図２に示すように、外からは見えない。このため、前記操作部２２ｂと対応する上部化粧板２３の領域に、例えば「開」、「プッシュ」あるいは「オープン」等の文字を描いて、この領域を下方に押動することにより前記係止リングＲが開放されることを明示しておくことが望ましい。
【００２１】
図１に示す上部化粧板２３の「開」の領域が下方に押動されると、前記バインダー１４の操作部材２２の操作部２２ｂが図６において上部化粧板２３の表面側から矢印で示すように下方に押動され、操作部材２２が軸部２２ａを中心に回動される。この動作によって操作部材２２の先端部により作動板１７，１８がそれらの弾性力に抗してデットポイントを超えて上方に反転移動される。この結果、図４に示すように下に凸の状態の作動板１７，１８が図５に示すように、上に凸の状態に反転され、閉じていた係止リングＲの第１及び第２リング片１９，２０が開放される。図５に示す状態において、第１及び第２リング片１９，２０を矢印で示すようにそれぞれ接近する方向に移動させると、作動板１７，１８が図４に示す状態に反転され、係止リングＲが閉鎖される。
【００２２】
図１〜図３に示すように、前記上部化粧板２３の左右両側には平面視Ｕ字状をなす一対の切欠部２３ｃ，２３ｃが形成されている。前記基板１２の上面と、前記切欠部２３ｃ，２３ｃとによって、作業テーブルＴに前記手編み台本体１１をクランプするための次に述べるクランプ金具３１（図１参照）のフレーム３２を係合する係合凹部２４が形成されている。
【００２３】
次に、図１に基づいて前記クランプ金具３１について説明する。
このクランプ金具３１は、図１に示すように側面視横Ｕ字状に形成されたフレーム３２と、該フレーム３２の下部水平板部３２ａに形成されたネジ孔３２ｂに螺合された締付ボルト３３と、該締付ボルト３３の上端部に相対回転可能に連結されたパッド３４と、前記フレーム３２の上部水平板部３２ｃの先端部に嵌合された合成樹脂製のキャップ部材３５とによって構成されている。前記手編み台本体１１が作業テーブルＴの上面に支持された状態で、前記一対のクランプ金具３１の前記締付ボルト３３を回動操作することにより、手編み台本体１１の左右両端部が前記キャップ部材３５とパッド３４との間でクランプされるようになっている。
【００２４】
次に、図１及び図７に基づいて、草履手編み台の係止リングＲに係止された紐３６の一端部を挿入して、草履を手作業によって手編みすることができる紐通し具３７について説明する。
【００２５】
帯板状の本体３８の基端部には、丸い紐３６の端部を挿通するための複数の丸孔３８ａ，３８ｂ，３８ｃが形成されるとともに、帯状の紐３６の端部を貫通するための１つの挿入孔３８ｄが形成されている。なお、前記本体３８の表面には、目盛３８ｅを有するスケールが形成されている。
【００２６】
次に、図１に基づいて、前記草履手編み台、クランプ金具３１、紐３６及び紐通し具３７を用いて草履を手編みする方法について説明する。
図１に示すように、前記手編み台本体１１を作業テーブルＴの上面に支持した後、左右一対のクランプ金具３１を用いて作業テーブルＴの上面に草履手編み台をクランプする。この状態で、草履手編み台のバインダー１４の左右一対の操作部材２２（図６参照）を下方に押し下げることによって、図４に示す作動板１７，１８をデットポイントを超えて上方に反転移動させる。この動作によって、前記作動板１７，１８がそれらの弾性力に抗して、図４に示す下に凸の湾曲状態から図５に示す上に凸の湾曲状態に切り換えられる。このため、閉鎖されていた係止リングＲの第１及び第２リング片１９，２０が図５に示すように開放される。この状態で、図１に鎖線で示す複数（この実施形態では例えば３つ）の第２リング片２０に紐３６を係止する。その後、開放されている第１及び第２リング片１９，２０を前後方向（図５の矢印参照）から互いに接近する方向に移動させることによって、第１及び第２リング片１９，２０を図１に実線で示すように閉鎖する。この動作によって、前記第２リング片２０に係止された紐３６が第１及び第２リング片１９，２０から外れなくなる。複数の第２リング片２０に蛇行するように、かつ前後方向に指向するように係止された紐３６の一端部を前記紐通し具３７の本体３８の丸孔３８ａに貫通して係止する。この状態で紐通し具３７を、前記紐３６の前後方向に指向するように係止された複数条の紐３６の間に前記紐通し具３７を利用して縦糸に緯糸を織り込むように挿入し、紐３６により草履を作製する。
【００２７】
上記のように構成された草履手編み台の効果について以下に説明する。
（１）上記実施形態では、手編み台本体１１の基板１２に形成された貫通孔１２ａ内にバインダー１４の本体ケースＫを収容するとともに、バインダー１４の係止リングＲを構成する第１及び第２リング片１９，２０を前記上部化粧板２３に形成された貫通孔２３ａ，２３ｂから上方向に導出させた。又、一対の操作部材２２の操作部２２ｂを下方に押し下げ操作することによって、閉鎖状態の第１及び第２リング片１９，２０を開放するようにし、前記複数の第２リング片２０に紐３６を前後方向に伸びる複数本の紐となるように係止した後、前記第１及び第２リング片１９，２０に互いに接近する方向に指で押圧して、両リング片１９，２０を閉鎖状態にするようにした。このため、紐３６による草履の手編み作業中に、紐３６が両リング片１９，２０から離脱することはなく、草履の手編み作業の能率を向上することができる。
【００２８】
（２）上記実施形態では、リングバインダー１４を用いたので、操作部材２２を操作することにより、多数の係止リングＲの開放を迅速に行うことができる。
（３）上記実施形態では、クランプ金具３１によって手編み台本体１１を作業テーブルＴに固定するようにしたので、手編み台本体１１を所定位置に保持することができ、草履の作製を適正に行うことができる。
【００２９】
（４）上記実施形態では、図６に示すように紐通し具３７の本体３８の丸孔３８ａ〜３８ｃに丸い紐３６の一端部を貫通して係止するようにした。このため、紐通し具３７を用いて、係止リングＲに係止された複数本の縦の紐３６の間に紐３６を横方向に容易に繰り返し編み込むことができ、草履を作製する作業の能率を向上することができる。
【００３０】
（５）上記実施形態では、紐通し具３７の本体３８に目盛３８ｅを形成したので、
作成する草履のサイズの設定を、目盛３８ｅによって容易に行うことができる。
（６）上記実施形態では、前記基板１２、下部化粧板１３及び上部化粧板２３によってバインダー１４の本体ケースＫを収容し、バインダー１４の両リング片１９，２０を、前記上部化粧板２３に形成された貫通孔２３ａ，２３ｂから上方向に導出した。このため、既製品として製造されたバインダー１４を用いて、草履手編み台を容易に、かつ安価に製造することができる。
【００３１】
なお、本発明は以下のように変更して実施することもできる。
・図８に示すように、基板１２の上面にバインダー１４を取り付けて、草履手編み台を構成してもよい。この実施形態は、部品点数を低減して、構造を簡素化し、製造を容易に行い、コストを低減することができる。
【００３２】
・前記実施形態では、バインダー１４を用いたが、これに代えて、手動又は電動により開閉可能な係止リングを用いてもよい。
・弾性変形可能な一つの部材により係止リングを湾曲形成し、係止リングの先端部を屈曲させて、該屈曲部を係止リングの基端部に接触する。そして、係止リングの屈曲部と基端部の間に紐を押し込んで係止リングを弾性変形させて、係止リングに紐を係止するようにしてもよい。
【００３３】
・前記上部化粧板２３を省略してもよい。
・前記下部化粧板１３を省略し、基板１２に形成した貫通孔１２ａに代えて収容凹所としてもよい。
【００３４】
・前記上部化粧板２３を透明材料により構成してもよい。この実施形態では、リングバインダー１４全体が目視できるので、操作部材２２の操作部２２ｂによる係止リングＲの開放操作を容易に行うことができる。
【００３５】
・前記係止リングＲの個数を、２個、３個、４個、５個、７個以上にしてもよい。
・前記上部化粧板２３に形成した「開」の文字を省略してもよい。
【符号の説明】
【００３６】
Ｈ…収容凹所、Ｋ…本体ケース、Ｒ…係止リング、Ｔ…作業テーブル、１１…台本体、１２…基板、１２ａ…貫通孔、１３…下部化粧板、１４…バインダー、１９…第１リング片、２０…第２リング片、２３…上部化粧板、２４…係合凹部、３１…クランプ金具、３２…フレーム、３２ｃ…上部水平板部、３６…紐、３７……紐通し具。
【図１】
2010270415.tif 000003
【図２】
2010270415.tif 000004
【図３】
2010270415.tif 000005
【図４】
2010270415.tif 000006
【図５】
2010270415.tif 000007
【図６】
2010270415.tif 000008
【図７】
2010270415.tif 000009
【図８】
2010270415.tif 000010